(57)【要約】【課題】除毛器具をより容易に取り出すことができる除毛器具のケースを提供する。【解決手段】ケース１０は、本体側ケース部材１１と、本体側ケース部材１１に対して開閉可能に設けられる蓋側ケース部材１３とを有し、除毛器具としての電気かみそり１を収容可能な収容部２０，２１が両ケース部材１１，１３に跨って形成される。蓋側ケース部材１３の開動作に連動して、収容位置にある電気かみそり１のその刃ヘッド部３側から変位させる連動変位部としての延設部４０及び当接端部４１が設けられる。【選択図】図５
2011193944.tif 000002
【特許請求の範囲】
【請求項１】
使用者が把持可能な本体部と、該本体部の一端側に設けられて使用者の体毛を除毛するための刃ヘッド部とを備えた除毛器具を収容する除毛器具のケースであって、
本体側ケース部材と、該本体側ケース部材に対して開閉可能に設けられる蓋側ケース部材とを有し、前記除毛器具を収容可能な収容部が両ケース部材に跨って形成され、
前記蓋側ケース部材の開動作と連動して、収容位置にある前記除毛器具のその刃ヘッド部側から変位させる連動変位部が設けられたことを特徴とする除毛器具のケース。
【請求項２】
請求項１に記載の除毛器具のケースにおいて、
前記連動変位部は、前記本体側ケース部材側から前記除毛器具を押し出すように構成されたことを特徴とする除毛器具のケース。
【請求項３】
請求項２に記載の除毛器具のケースにおいて、
前記連動変位部は、前記刃ヘッド部を押し出すよう構成されたことを特徴とする除毛器具のケース。
【請求項４】
請求項１〜３のいずれか一項に記載の除毛器具のケースにおいて、
前記本体側ケース部材と前記蓋側ケース部材とは、各ケース部材間を回動可能に接続するヒンジ部により開閉可能に構成されたことを特徴とする除毛器具のケース。
【請求項５】
請求項４に記載の除毛器具のケースにおいて、
前記ヒンジ部は、前記除毛器具の前記本体部と前記刃ヘッド部とが並ぶ長手方向における前記刃ヘッド部側の長手方向一端部に設けられ、前記連動変位部は、前記ヒンジ部寄りに設けられたことを特徴とする除毛器具のケース。
【請求項６】
請求項１〜５のいずれか一項に記載の除毛器具のケースにおいて、
前記除毛器具は、前記使用者の体毛を切除する電気かみそりであることを特徴とする除毛器具のケース。
【発明の詳細な説明】
【技術分野】
【０００１】
本発明は、除毛器具を収容する除毛器具のケースに関するものである。
【背景技術】
【０００２】
使用者の体毛を除毛する電気かみそりや脱毛器等の除毛器具は、その機器本体を衝撃や埃などから守るため、或いは持ち運び時の利便性向上のためなど、様々な理由から除毛器具のケースに収容されることがある（例えば、特許文献１参照）。除毛器具のケースは、特許文献１の図８に示されているように、本体側ケース部材（特許文献１では下蓋）と、この本体側ケース部材の開口を閉塞するとともに本体側ケース部材の長手方向一端部においてヒンジ部により回動可能に設けられる蓋側ケース部材（特許文献１では上蓋）とで構成されているものがある。そして、例えば本体側ケース部材に対して蓋側ケース部材を回動させて閉じることで本体側ケース部材の開口と蓋側ケース部材の開口とが密着した閉状態となり、その状態で電気かみそりが収容されるようになっている。
【先行技術文献】
【特許文献】
【０００３】
【特許文献１】特開昭６０−２２２０８１号公報
【発明の概要】
【発明が解決しようとする課題】
【０００４】
ところで、上記のような除毛器具のケースでは、除毛器具を取り出す際には蓋側ケース部材を開動作させることで取り出し可能となるが、本体側ケース部材に収容された状態であるため、除毛器具を本体ケース部材から取り出す際のその容易性に関しては未だ改善の余地が残されていた。
【０００５】
本発明は、上記課題を解決するためになされたものであって、その目的は、除毛器具をより容易に取り出すことができる除毛器具のケースを提供することにある。
【課題を解決するための手段】
【０００６】
上記課題を解決するために、請求項１に記載の発明は、使用者が把持可能な本体部と、該本体部の一端側に設けられて使用者の体毛を除毛するための刃ヘッド部とを備えた除毛器具を収容する除毛器具のケースであって、本体側ケース部材と、該本体側ケース部材に対して開閉可能に設けられる蓋側ケース部材とを有し、前記除毛器具を収容可能な収容部が両ケース部材に跨って形成され、前記蓋側ケース部材の開動作と連動して、収容位置にある前記除毛器具のその刃ヘッド部側から変位させる連動変位部が設けられたことをその要旨とする。
【０００７】
この発明では、本体側ケース部材と、本体側ケース部材に対して開閉可能に設けられる蓋側ケース部材とを有し、除毛器具を収容可能な収容部が両ケース部材に跨って形成される。蓋側ケース部材の開動作に連動して、収容位置にある除毛器具のその刃ヘッド部側から変位させる連動変位部が設けられる。このように、蓋側ケース部材の開動作に連動して刃ヘッド部側からを変位させる連動変位部が設けられるため、蓋側ケース部材を開動作させて除毛器具を取り出す際には刃ヘッド部側の位置が収容位置から変位されて取り出し易い位置に移動させることが可能となる。これにより、使用者は除毛器具を容易に取り出すことができる。また、除毛器具の内で重要部品である刃ヘッド部側を変位させる構成であるため、刃ヘッド部以外の部位を支点として刃ヘッド部が変位されるため刃ヘッド部とケース部材とによる摩擦等による刃ヘッド部の損傷を抑えることができる。
【０００８】
請求項２に記載の発明は、請求項１に記載の除毛器具のケースにおいて、前記連動変位部は、前記本体側ケース部材側から前記除毛器具を押し出すように構成されたことをその要旨とする。
【０００９】
この発明では、連動変位部は、本体側ケース部材側から除毛器具を押し出す容易な構成にて除毛器具をその刃ヘッド部側から変位させることができ、請求項１に記載の効果と同様の効果を奏することができる。
【００１０】
請求項３に記載の発明は、請求項２に記載の除毛器具のケースにおいて、前記連動変位部は、前記刃ヘッド部を押し出すよう構成されたことをその要旨とする。
この発明では、連動変位部は、刃ヘッド部を押し出すよう構成されため、連動変位部にて確実に刃ヘッド部を押し出して刃ヘッド部側を起こすことができる。また、刃ヘッド部を押し出すことで使用者が把持する本体部の位置も変位するため本体部を容易に把持して取り出すことができる。
【００１１】
請求項４に記載の発明は、請求項１〜３のいずれか一項に記載の除毛器具のケースにおいて、前記本体側ケース部材と前記蓋側ケース部材とは、各ケース部材間を回動可能に接続するヒンジ部により開閉可能に構成されたことをその要旨とする。
【００１２】
この発明では、本体側ケース部材と蓋側ケース部材とは、各ケース部材間を回動可能に接続するヒンジ部により開閉可能に構成される。このように、本体側ケース部材に対する蓋側ケース部材の開閉動作を簡素な構成であるヒンジ部による回動動作にて実現することができる。
【００１３】
請求項５に記載の発明は、請求項４に記載の除毛器具のケースにおいて、前記ヒンジ部は、前記除毛器具の前記本体部と前記刃ヘッド部とが並ぶ長手方向における前記刃ヘッド部側の長手方向一端部に設けられ、前記連動変位部は、前記ヒンジ部寄りに設けられたことをその要旨とする。
【００１４】
この発明では、除毛器具の本体部と刃ヘッド部とが並ぶ長手方向における刃ヘッド部側の長手方向一端部にヒンジ部が設けられるとともに、そのヒンジ部寄り連動変位部が設けられる。このように刃ヘッド部側のヒンジ部寄りに連動変位部を設けることで、蓋側ケース部材と連動変位部との距離を小さくすることができ、連動変位部を構成する機構の小型化に寄与することができる。
【００１５】
請求項６に記載の発明は、請求項１〜５のいずれか一項に記載の除毛器具のケースにおいて、前記除毛器具は、前記使用者の体毛を切除する電気かみそりであることをその要旨とする。
【００１６】
本構成によれば、請求項１〜５のいずれか一項に記載の効果と同様の効果を奏することができる使用者の体毛を切除する電気かみそりのケースを提供することができる。
【発明の効果】
【００１７】
本発明によれば、除毛器具をより容易に取り出すことができる除毛器具のケースを提供することができる。
【図面の簡単な説明】
【００１８】
【図１】本実施形態における電気かみそり及びケースの斜視図。
【図２】（ａ）（ｂ）は、刃ヘッド部のスイングをロックするロック機構について説明するための電気かみそりの部分背面図。
【図３】刃ヘッド部がスイング可能状態の場合の電気かみそり及びケースの断面図。
【図４】刃ヘッド部がロック状態の場合の電気かみそり及びそのケースの断面図。
【図５】蓋側ケース部材の開動作及びその動作に伴う電気かみそりの位置変位について説明するための断面図。
【図６】蓋側ケース部材の開動作及びその動作に伴う電気かみそりの位置変位について説明するための斜視図。
【図７】別例における電気かみそりの位置変位について説明するための断面図。
【図８】別例における電気かみそりの位置変位について説明するための断面図。
【発明を実施するための形態】
【００１９】
以下、本発明を電気かみそりを収容するケースに具体化した一実施形態を図面に従って説明する。
図１は、本実施形態の電気かみそり及びそれを収容するケースの斜視図を示す。本実施形態の電気かみそり１は、使用者の把持に適した細長の把持本体部２と、この把持本体部２の長手方向一端側に設けられる刃ヘッド部３とを有している。刃ヘッド部３は、把持本体部２の上端部に設けられた図示しない支持機構にて幅方向に沿った回動軸を中心として前後方向にスイング可能に支持されている。また、刃ヘッド部３は、ロック機構（図示略）により前後方向へのスイングを所定位置でロックすることができるようになっている。このロック機構は、図２（ａ）（ｂ）に示すように、電気かみそり１の把持本体部２に設けられる上下スライド部材４を上下（長手）方向にスライド操作させることで、ロック状態と、スイング可能状態とに切替えできるようになっている。
【００２０】
図２（ａ）（ｂ）に示すように、刃ヘッド部３の上端部には刃ヘッド部３に内蔵されるモータ５の駆動に基づいて幅方向に往復駆動される可動刃６が設けられるとともに、この可動刃６の外側に配置される固定刃（図示略）とで体毛を挟み込んで切除できるようになっている。なお、モータ５は、把持本体部２内部に収容される電源７（図１参照）と電気的に接続されるとともに、把持本体部２の前面側に設けられる操作スイッチ（図示略）の操作に基づき駆動されるようになっている。
【００２１】
上記のように構成された電気かみそり１を収容するケース１０は、本体側ケース部材１１と、この本体側ケース部材１１の長手方向一端部に設けられるヒンジ部１２により相対的に回動可能に設けられる蓋側ケース部材１３とを有している。つまり、本実施形態のケース１０は、本体側ケース部材１１に対してヒンジ部１２を中心として蓋側ケース部材１３を開閉可能に構成されている。
【００２２】
本体側ケース部材１１は、ケース１０の外殻の略半分をなす外側部材１１ａと、外側部材１１ａの内側に設けられる内側部材１１ｂとを有した２層構造で構成されている。一方、蓋側ケース部材１３は、ケース１０の外殻の略半分をなす外側部材１３ａと、外側部材１３ａの内側に設けられる内側部材１３ｂとを有した２層構造で構成されている。
【００２３】
また、本体側ケース部材１１と蓋側ケース部材１３とでなるケース１０は、図３及び図４に示すように電気かみそり１の把持本体部２を収容支持する本体収容部２０と、刃ヘッド部３を収容するヘッド収容部２１とがそれぞれ両ケース部材１１，１３（内側部材１１ｂ，１３ｂ）に跨って形成される。即ち、本体側ケース部材１１の内側部材１１ｂには本体収容凹部２０ａとヘッド収容凹部２１ａとが備えられるとともに、蓋側ケース部材１３の内側部材１３ｂには本体収容凹部２０ｂとヘッド収容凹部２１ｂとがそれぞれ形成されている。
【００２４】
本体収容部２０は、電気かみそり１の把持本体部２と当接する少なくとも５つの当接支持部２２ａ〜２２ｅを備えている。この当接支持部２２ａ〜２２ｅは、本体側ケース部材１１に設けられるとともに把持本体部２の後面側上端部２ａ及び下端部２ｂと当接する当接支持部２２ａ，２２ｂと、この当接支持部２２ａ，２２ｂの略中間位置に設けられるとともに把持本体部２の後面２ｃと当接する当接支持部２２ｃと、蓋側ケース部材１３に設けられるとともに把持本体部２の前面側上端部２ｄ及び下端部２ｅと当接する当接支持部２２ｄ，２２ｅとで構成される。このような構成の複数の当接支持部２２ａ〜２２ｅにて電気かみそり１の把持本体部２が本体収容部２０に収容される際には、多くの当接支持部２２ａ〜２２ｅにて支持されるため安定した状態で収容することができるようになっている。
【００２５】
ヘッド収容部２１は、本体側ケース部材１１及び蓋側ケース部材１３の長手方向一端部側であるヒンジ部１２寄りの収容空間であるとともに、前後方向（厚み方向）にスライドする刃ヘッド部３の前後方向の厚みに十分対応できる大きさの収容空間が形成されている。
【００２６】
また、ヘッド収容部２１における蓋側ケース部材１３の内側部材１３ｂには、刃ヘッド部３との対応位置にエラストマ等の弾性部材からなるカバー部３０が装着されている。
カバー部３０には、本体側ケース部材１１（刃ヘッド部３）側に突状をなしてカバー部３０と蓋側ケース部材１３との間に所定の空間部Ｘを有することで構成される押圧突部３１が幅方向中央部に形成されている。この押圧突部３１は、刃ヘッド部３がスイング可能状態である場合に、刃ヘッド部３と当接して所定の押圧力を生じさせて押圧突部３１と本体側ケース部材１１の内側部材１１ｂとで刃ヘッド部３を挟持するよう構成されている。また、押圧突部３１は、刃ヘッド部３が前記ロック機構によりロックされて押圧突部３１側に刃ヘッド部３が位置する場合には、押圧突部３１が突出方向と逆側である空間部Ｘ側に弾性変形して刃ヘッド部３及びケース１０（蓋側ケース部材１３）の間で過度な力が生じないように構成されている。このため、刃ヘッド部３をロックする前記ロック機構と、各ケース部材１１，１３を回動可能に連結するヒンジ部１２等に過度な負荷が生じないようになっている。
【００２７】
また、蓋側ケース部材１３の長手方向におけるヒンジ部１２側の反対側の端部には、長手方向にスライド可能なスライド部材３５が設けられる。このスライド部材３５は蓋側ケース部材１３及び本体側ケース部材１１が互いに密着した状態、つまり本体側ケース部材１１の開口を蓋側ケース部材１３で閉塞した閉状態で前記スライド部材３５により本体側ケース部材１１の下端部１１ｃと係止して各ケース部材１１，１３の相対的な回動が規制されて電気かみそり１を収容するようになっている。
【００２８】
また、蓋側ケース部材１３の内側部材１３ｂは、図３に示すようにその長手方向一端部である延設部４０が本体側ケース部材１１の内側部材１１ｂ及び外側部材１１ａ内に挿入配置されている。そして、例えば蓋側ケース部材１３をヒンジ部１２中心に回動させて開動作させて蓋側ケース部材１３の上部に形成される延設部４０が共に回動して本体側ケース部材１１の内側部材１１ｂの外表面と摺接する。そして、その摺接（摺動）した状態で更に回動されると内側部材１１ｂの長手方向一端側である当接端部４１の外表面に形成される延出規制部４１ａと当接してその回動が規制されて図５及び図６に示す開状態とされる。この時、延設部４０の回動によって本体側ケース部材１１の内側部材１１ｂが起立されてその内側部材１１ｂの当接端部４１が図６に示すように幅方向長さの比較的広い範囲に亘って当接するとともに、ケース１０内に収容された電気かみそり１が上方（反本体側ケース部材１１側）に押し出されるようになっている。これにより、電気かみそり１と本体側ケース部材１１との間に一定の隙間が生じて電気かみそり１を容易に取り出すことができるようになっている。なお、電気かみそり１の重心位置Ｇ近傍を内側部材１３ｂの延設部４０及び内側部材１１ｂの当接端部４１にて押し上げることが望ましい。ここで、重心位置Ｇ近傍であるほど把持した際に電気かみそり１の重量バランスが良いため、使用者が把持した際に容易に把持することができる。このような構成とすることで、重心位置Ｇ近傍が押し上げられることとなるため、使用者が重心位置Ｇ近傍を把持して取り出すことを誘導でき、より容易に電気かみそり１を取り出すことが可能となる。
【００２９】
一方、蓋側ケース部材１３を閉動作させると、蓋側ケース部材１３の延設部４０が本体側ケース部材１１側に回動されて延出規制部４１ａとの当接状態が解除されて本体側ケース部材１１の内側部材１１ｂが同ケース部材１１の外側部材１１ａ側に自身の弾性力により移動することで電気かみそり１が本体側ケース部材１１側に移動される。
【００３０】
次に、本実施形態の特徴的な作用効果を記載する。
（１）ケース１０は、本体側ケース部材１１と、本体側ケース部材１１に対して開閉可能に設けられる蓋側ケース部材１３とを有し、電気かみそり１を収容可能な収容部２０，２１が両ケース部材１１，１３に跨って形成される。蓋側ケース部材１３の開動作に連動して、収容位置にある電気かみそり１のその刃ヘッド部３側から変位させる連動変位部としての延設部４０及び当接端部４１が設けられる。このように、蓋側ケース部材１３の開動作に連動して刃ヘッド部３側の位置を反本体側ケース部材１１側に変位させる連動変位部が設けられるため、蓋側ケース部材１３を開動作させて電気かみそり１を取り出す際には刃ヘッド部３側の位置が収容位置から変位されて取り出し易い位置に移動させることが可能となる。これにより、使用者は除毛器具としての電気かみそり１を容易に取り出すことができる。また、電気かみそり１の内で重要部品である刃ヘッド部３側を変位させる構成であるため、刃ヘッド部３以外の部位を支点として刃ヘッド部３が変位されるため刃ヘッド部３とケース部材１１，１３とによる摩擦等による刃ヘッド部３の損傷を抑えることができる。
【００３１】
（２）延設部４０及び当接端部４１にて構成される連動変位部は、本体側ケース部材１１側から押し出す容易な構成にて電気かみそり１をその刃ヘッド部３側から変位させることができる。
【００３２】
（３）延設部４０及び当接端部４１にて構成される連動変位部は、刃ヘッド部３を反本体側ケース部材１１側に押し出すよう構成される。このように、連動変位部にて確実に刃ヘッド部３を押し出して刃ヘッド部３（可動刃６）側を起こすことができる。また、刃ヘッド部３を押し出すことで使用者が把持する把持本体部２の位置も変位するため把持本体部２を容易に把持して電気かみそり１をケース１０（本体側ケース部材１１）から取り出すことができる。
【００３３】
（４）本体側ケース部材１１と蓋側ケース部材１３とは、各ケース部材１１，１３間を回動可能に接続するヒンジ部１２により開閉可能に構成される。このように、本体側ケース部材１１に対する蓋側ケース部材１３の開閉動作を簡素な構成であるヒンジ部１２による回動動作にて実現することができる。
【００３４】
（５）電気かみそり１の把持本体部２と刃ヘッド部３とが並ぶ長手方向における刃ヘッド部３側の長手方向一端部にヒンジ部１２が設けられるとともに、そのヒンジ部１２寄り連動変位部を構成する延設部４０及び当接端部４１が設けられる。このように刃ヘッド部３側のヒンジ部１２寄りに連動変位部を設けることで、蓋側ケース部材１３と連動変位部との距離を小さくすることができ、連動変位部を構成する機構の小型化に寄与することができる。
【００３５】
尚、本発明の実施形態は、以下のように変更してもよい。
・上記実施形態では、延設部４０及び当接端部４１にて連動変位部を構成したが、これに限らない。例えば、図７に示すように本体側ケース部材１１の内側部材１１ｂの一部を構成するとともに刃ヘッド部３を下側から支持する支持部材４５と、この支持部材４５を反本体側ケース部材１１側に押し出すばね部材等の弾性部材４６とで連動変位部を構成してもよい。
【００３６】
・上記実施形態では、特に言及していないが、蓋側ケース部材１３及び本体側ケース部材１１の回動量は適宜変更してもよい。回動量を変更する構成としては、例えば図８に示すように、延設部４０及び当接端部４１間に連結部材５１を設ける構成が考えられる。そして、例えば蓋側ケース部材１３の外側部材１３ａの外表面と本体側ケース部材１１の外側部材１１ａとがなす角度を略１８０度となる位置まで回動可能な構成とすることが望ましい。これにより、本体側ケース部材１１及び蓋側ケース部材１３を机等に載置した状態で本ケース１０を使用することができるため、安定して載置することができる。
【００３７】
・上記実施形態では、蓋側ケース部材１３が開動作されると刃ヘッド部３を連動変位部としての延設部４０及び当接端部４１にて押し出すことで刃ヘッド部３側の位置を変位させたが、刃ヘッド部３ではなく把持本体部２の刃ヘッド部３よりを押し出すことで刃ヘッド部３側の位置を変位させる構成を採用してもよい。
【００３８】
・上記実施形態では、電気かみそり１を収容する電気かみそりのケース１０にて本発明を具体化したが、これに限らず、例えば脱毛器などのその他の除毛器具のケースに本発明を適用してもよい。
【符号の説明】
【００３９】
１…電気かみそり（除毛器具）、３…刃ヘッド部、６…刃ヘッド部を構成する可動刃、１０…ケース、１１…本体側ケース部材、１２…ヒンジ部、１３…蓋側ケース部材、２０…本体収容部（収容部）、２１…ヘッド収容部（収容部）、４０…連動変位部を構成する延設部、４１…連動変位部を構成する当接端部、４５…連動変位部を構成する支持部材、４６…連動変位部を構成する弾性部材、５１…連動変位部を構成する連結部材。
【図１】
2011193944.tif 000003
【図２】
2011193944.tif 000004
【図３】
2011193944.tif 000005
【図４】
2011193944.tif 000006
【図５】
2011193944.tif 000007
【図６】
2011193944.tif 000008
【図７】
2011193944.tif 000009
【図８】
2011193944.tif 000010